(57)【特許請求の範囲】
【請求項１】
下端部に流入口(5) を有する筒部(4) の上方にほぼ漏斗状をなしかつその大径側に吐出口(8) を備えたハウジング(2) を有し、モータ(20)の駆動軸(21)に同軸に嵌合連結したランナボス(17)と、厚くほぼ円盤状のランナデスク(11)およびその下面側に、前記ランナボス(17)の縦軸延線上の直截平面上に等間隔に設けた少なくとも３枚の三角形の旋回羽根(12)と、その下方に連続して、前記筒部(4) に所定の間隙をもって内挿嵌されるほぼ平行な小径羽根(13)とを一体に形成したランナ(10)を、前記小径羽根(13)が前記流入口(5) に臨みかつ前記ランナデスク(11)が前記漏斗状の大径側に収められるように前記ハウジング内にそれぞれ間隙を保って回転自在に設けた排水ポンプであって、
前記ランナ(10)は、前記旋回羽根(12)および小径羽根(13)がその軸心側の基部から外周(15)に向かって放射状のアーム部(14)を形成しており、このアーム部が、前記軸心側の基部からランナボス(17)の周縁近傍の上部遠心面(16)に開口するように設けられた流通口(18)を備えたランナデスク(11)を保持しており、前記流入口(5) から小径羽根と旋回羽根を経て流通口(18)に至る軸流路を、ランナデスクの上部遠心面(16)からその外周面(15)に到る遠心ポンプの流路に加えたことを特徴とする排水ポンプ。
【請求項２】
前記アーム部(14)は、その上面を加圧側にかつその下面を負圧側とするような傾斜面をそれぞれ備えた推進器状に形成して、軸流ポンプの作用効果を高めたことを特徴とする請求項１に記載の排水ポンプ。
【請求項３】
前記ランナデスク(11)はその下面側に、前記旋回羽根(12)ごとに少なくともこれと同数のその軸心側の基部から放射状にその外周方向に逆割溝状で、前記上部遠心面(16)の外周面(15)との縁線(31)以内に開口連通しかつ圧力面側となる傾斜面(36)を設けた開口部(30)を備えて、斜流ポンプの流路を加えたことを特徴とする請求項１から２までのうちのいずれか一つに記載の排水ポンプ。
【請求項４】
前記ランナデスク(11)は、その下面を、旋回羽根(12)側から外周面(15)方向の上方に勾配を付けた下面遠心テーパー部(37)として、これによりさらに遠心流路を加えたことを特徴とする請求項１から３までのうちのいずれか一つに記載の排水ポンプ。
【発明の詳細な説明】
【０００１】
【発明の属する技術分野】
本発明は、例えば空調機器の室内ユニットの熱交換器表面で結露によって発生する凝結水をドレンパンから揚水して外部に排出する自吸式の非容積形回転ポンプに関する。
【０００２】
【従来の技術】
空調機器などから発生するドレンの排水ポンプとしては、近年激増した天井埋込設置形の空調機器の普及によるドレン処理のためなどに多くの需要があり、またこれに関する多くの先行技術がある。さらに、このポンプは最近所要の吐出性能を保持する範囲で、さらに小形軽量化と特に運転音の騒音低下の市場の要求に応えて枚挙に暇がないほどの提案技術が開示されている。
【０００３】
前記ドレン揚水吐出およびドレン排出後ポンプを停止することなく常時運転続行する方式が近時選ばれることがあることは、ドレンパンの水位によってポンプをオンオフする方式は、水位センサおよびリレー、開閉器、制御電気回路や機器の設置費用とその取付けスペースを省く経済性と、排水ポンプが連続運転を続行しても充分寿命が永い耐久性のあることがその理由として考えられる。
【０００４】
ポンプ運転の上記オン・オフ方式または常時運転続行方式の何れの場合でも、ポンプの運転騒音の低下を要求されるのは、その運転振動が該ポンプを付設する空調機器の室内機に伝達伝播されて共振したり、拡大されて騒音の発生となるばかりでなく、この室内機を寝室の天井に設置したときには、置時計や柱または壁掛時計の時を刻む音さえ耳ざわりになるようなユーザの場合には、一層問題視され、苦情の原因となることの対応策としたものであろう。
【０００５】
上記排水ポンプの騒音低下をねらい開発されたものに、例えば以下つぎに挙げるような技術が提案されている。
【０００６】
（イ）特開平１０−２９９６９３号公報
（ロ）特開平１０−１１５２９４号公報
（ハ）特開平  ９−６８１８５号公報
（ニ）特開平  ８−２１０２８９号公報
（ホ）特開平  ８−１８９６６２号公報
（ヘ）特開平  ７−２７９８８３号公報
（ト）特開２０００−５５４０２号公報
（チ）特開２０００−４６３６３号公報
（リ）特許第２９２５０７６号公報
（ヌ）特許第２８３４６４４号公報
などである。
【０００７】
上記の従来技術によるものは、何れも空調設備に装備される前記排水ポンプの性能向上もしくは小形化と或いは揚程および吐出量をほとんど低下させることなく、低振動、低騒音を図ることを目的とするとしている。
【０００８】
上記従来技術のうち、（リ）（ヌ）を除く大部分の実施の形態におけるインペラまたはランナの小径羽根もしくは補助羽根と一体的にその上方に設けてある大径羽根もしくは主羽根の外周は円筒壁部材或いはリング状円周板をもって囲繞され、前記パドル状の大径羽根もしくは主羽根の外周から遠心力で飛散する水流を抑制遮断して騒音を低下させようとしている。したがって、前記水流を遮断しただけ吐出能力も低下している。
【０００９】
次に、前記従来技術（ヘ）の回転羽根と従来技術の（ト）および（チ）の補助羽根は何れも一枚の三角形のブレードすなわち水掻きであって、水掻き音が大きく揚水量の少ないものである。
【００１０】
前記従来技術の（リ）（ヌ）は本発明の出願人がさきに提案したものであるが、共にランナデスクの外周側に流通路の開口端部に旋回羽根を備えていて、遠心作用で水流が吐き出される構造であり、前記（ヌ）の先行技術は三角形のブレードを備えていて、この両者共にポンプの作動時の騒音はその明細書に記載されているように他の先行技術のものよりも低くなっているが、なお一層の騒音の低下が要求されている現状である。
【００１１】
【発明が解決しようとする課題】
上述したような前記の従来技術の問題点のほかに、前記（イ）の従来技術のものは、樹脂成形されたハウジング、カバー、回転羽根に粒状の抗菌剤を練りこんだ抗菌処理を施したことによって細菌の発生を防止し、すなわちドレンにより湿度が高く、埃、水垢等によりカビや細菌の繁殖しやすい環境に設置しても、カビや細菌を繁殖させず、したがってこれらの増殖堆積物や水垢等の異物の付着堆積でハウジング内と回転羽根の間隙を狭めたり、ロック現象を起こしたりすることを防止するとしていて、本発明の課題と直接には関連性がない。
【００１２】
前記従来技術（ロ）、（ハ）、（ニ）、（ホ）のものは、何れもランナは平板状の回転羽根をもってなる小径羽根とその上方の大径羽根を有し、大径羽根の周囲は、リング状の円周壁または円筒壁部材により囲繞され、この大径羽根に連続する下部に延びる４枚の板状の小径羽根はその連続する縁部がテーパー状に形成され、テーパーリングで囲まれ、その中心部は開口を有し、これは大径羽根の下縁部がテーパー状に形成され、この下縁部は、その中心部に中空部を有する円盤で截頭逆円錐皿状の部材で一体に連結されたものと同様であり、さらにその下縁部を平面に形成し、この平面部を円盤状の部材で一体に連結してもよいと記載されている。
【００１３】
前記円盤の中空部を有しかつテーパーを付けたことにより、羽根の回転停止時にも排水にも排水が円盤に残留せず、ドレーンタンクに戻されると説明されている。
【００１４】
そして前記中空部を有する円盤を大径羽根と小径羽根の間に設けることにより、大径羽根に接する水の量が減少し、回転体にかかる負荷が軽減すると共に、気泡の発生も減少する。また、大径羽根の外周部を円筒状に壁部材で囲ってあるので、排水ポンプの停止時に吐出口側から吸入側へ流れる戻り水は、この壁部材によって緩衝されて吸入口側へスムーズに落下する。したがって、ポンプハウジングの上部への噴出が防止され、騒音も低減されるとしている。
【００１５】
これらの先行技術のうちの前記（ニ）の公報に開示の図２２および図４０を本願明細書添付図面の図１０ならびに図１１に転記して以下説明する。数字の符号についての名称および説明は、上記公報において説明されているので、これについてはその説明を繰り返すことは省略する。
【００１６】
図１０において、前記リング状壁部材４４０は、大径羽根４１５の露出上縁部４１５ａを有する故に、回転羽根の最大揚程を確保するとその明細書に記載されている。そして、この露出上縁部４１５ａの円弧状の面取部を設けることにより、気泡の流れをスムーズにして騒音を減少させて低騒音の空調機とすることができると前記従来技術（ハ）の公報に説明の記載がある。
【００１７】
しかし、これは、前記気泡を含む水流を意味し、かつ平板状の大径羽根４１５が水を打撃するので、やはり騒音は比較的大きくなることは避けられない。
【００１８】
そして、図１１に示す従来技術は、図１０のものの前記騒音発生の要因の一部を除くために大径羽根７１５の外周の全体を囲む壁部材７４０を備えたが、吐出流量と揚程が減少するためにこれを補って大径羽根７１５と同数の羽根部材７１７を追加したものであろうが、これも前述したように平板状の羽根が羽根車の上部に露出しているので、水流を打撃する騒音は避けられないと共に、ハウジングのランナボス挿入口との間隙からも遮蔽されず、騒音が漏洩する。
【００１９】
この図１０、図１１の羽根車を備えた排水ポンプについては、その吐出流量、揚程および運転中に発生する騒音等の測定値を、本発明の実施形態品と対比して後述するが、やはりその騒音については、比較的高く問題点があったものである。
【００２０】
【課題を解決するための手段】
上記課題を解決するために、本発明による排水ポンプは、下端部に流入口を有する筒部の上方にほぼ漏斗状をなしかつその大径側に吐出口を有するハウジングを備え、モータの駆動軸に同軸に嵌合連結したランナボスと、厚くほぼ円盤状のランナデスクおよびその下面側に、前記ランナボスの縦軸延線上の直截平面上に等間隔に設けた少なくとも３枚の三角形の旋回羽根と、その下方に連続して、前記筒部に所定の間隙をもって内挿嵌されるほぼ平行な小径羽根とを一体に形成したランナを、前記小径羽根が前記流入口に臨みかつ前記ランナデスクが前記漏斗状の大径側に収められるように前記ハウジング内にそれぞれ間隙を保って回転自在に設けたものであって、前記ランナは、前記旋回羽根および小径羽根がその軸心側の基部から外周に向かって放射状のアーム部を形成しており、このアーム部が、前記軸心側の基部からランナボスの周縁近傍の上部遠心面に開口するように設けられた流通口を備えたランナデスクを保持しており、前記流入口から小径羽根と旋回羽根を経て流通口に至る軸流路を、ランナデスクの上部遠心面からその外周面に到る遠心ポンプの流路に加えたことを特徴とする。
【００２１】
また、前記アーム部は、その上面を加圧側にかつその下面を負圧側とするような傾斜面をそれぞれ備えた推進器状に形成して、軸流ポンプの作用効果を高めることもできるものとしたものである。
【００２２】
また、前記ランナデスクはその下面側に、前記旋回羽根ごとに少なくともこれと同数でその軸心側の基部から放射状にその外周方向に逆割溝状で、前記上部遠心面の外周面との縁線以内に開口連通しかつ圧力面側となる傾斜面を設けた開口部を備えて、斜流ポンプの流路を加えたことを特徴とする排水ポンプである。
【００２３】
さらに、前記ランナデスクは、その下面を、旋回羽根側から外周面方向の上方に勾配を付けた下面遠心テーパー部として、これによりさらに遠心流路を加えたことを特徴とする排水ポンプを得ることを可能にしているものである。
【００２４】
【発明の実施の形態】
以下、本発明の実施の形態について添付した図面により詳細に説明する。
【００２５】
図１は、本発明の排水ポンプ１の全体構成を示す一部断面を表した縦断説明図であり、図２は図１の側面図である。下端の図示しないドレンパン内に臨み、ドレンの水位からｈの深さに沈めるように流入口５を位置させて、モータ２０を、ブラケット２４を備えたカバー３およびこれと繋止鉤２５を有する組付部２４もしくは図示しない螺子止めによるハウジング２とを一体的に組み立てた排水ポンプ１を取付ステー２７を介して図示しない空調機器の筐体に取り付けてある。
【００２６】
前記カバー３の挿入口２３には、ランナ１０のランナボス１７が間隙を保って挿入され、これにモータ２０の駆動軸２１が水切板２２を介在させて同軸に嵌合連結される。
【００２７】
以下述べる排水ポンプ１の構成は、前記特許請求の範囲に記載した通りであるが、一応これを説明する。
【００２８】
前記ランナボス１７と、厚くほぼ円盤状のランナデスク１１およびその下面側に前記ランナボス１７の縦軸延線上の直截平面上に等間隔に設けた少なくとも３枚の三角形の旋回羽根１２と、その下方に連続して、前記流入口５をその先端に備えた筒部４に所定の間隙をもって内挿嵌されるほぼ平行な小径羽根１３とを一体に形成したランナ１０を前記小径羽根１３を前記流入口５に臨ませ、かつ前記筒部４の上方にほぼ漏斗状で、吐出口８をもつ吐出接手７を備えた前記ハウジング２の大径側に前記ランナデスク１１を収めたランナ１０がハウジング２内で間隙を保って回転自在に設けられている。そして、ランナ１０の一例の平面図、縦断面図、底面図をそれぞれ示す図３の（ａ）、（ｂ）および（ｃ）において、ランナ１０は前記旋回羽根１２および小径羽根１３がその軸心側の基部から外周（１５）に向かって放射状のアーム部１４を形成しており、このアーム部が前記軸心側の基部からランナボス１７の周辺近傍の上部遠心面１６に開口するように設けられた流通口１８を備えたランナデスク１１をあたかもプーリーのアームのように保持していて、モータ２０の駆動によりランナ１０が回転して、流入口５から矢印ａのように流入した液体は、小径羽根１３と旋回羽根１２を経て流通口１８に到る軸流路を上部遠心面１６から外周面１５に到る遠心ポンプの流路に加えて吐出口８から矢印ｂに示すように吐出圧力による揚程をもって吐出されるものである。
【００２９】
前記小径羽根１３の先端は、液体を遠心力で押し上げるために先細りの傾斜する例えば４５°の面取りを施すか、すくい角を付けるとよい。また、その基部は比較的大きな曲率半径Ｒで結んだ方がその回転時の液体の掻き混ぜによる騒音が減少するが、該Ｒの価が大きすぎると、ポンプの吐出能力が低下するおそれがある。
【００３０】
小径羽根１３と筒部４間の間隙は、前記したようにドレンに含まれる塵埃、水垢、カビ、細菌等夾雑物の繁殖や付着堆積により回動不能になる懸念があり、これを防止するために必要である。しかし、この間隙が大きすぎると、ポンプの吸引押上作用の効率が下がるばかりでなく、ドレンパンの水位がポンプアップによって下がったときに、吐出揚程すなわち吐出口８に連結した導管内の水位がドレンパンに落下して、再び吸入して吐出排水を繰り返す場合に発生する騒音を嫌う向きには問題となる。このような場合には、ドレンパンのドレンを排水し終わったときも、ポンプはそのまま空運転をして揚水を落下させずに吐出作用のみを留めて置く方法が採られることが前述の理由でしばしば用いられる現状であって、そのためにも前記小径羽根１３と筒部４の内径との間隙は適度に規制する必要がある。例えば小径羽根１３の半径を４ｍｍとしたときに、該間隙は例えば１．７５ｍｍで、筒部４の内径を１１．５ｍｍに定めたものがある。この場合には、前記吸入効率を高めかつ前記ドレンパンの水位が下がり、揚水が停止し、しかもポンプが回転している場合に前記揚水の落下を可能な限り阻止しようとするときには、流入口５の開口端部６の内側をリング状突起により狭めてその内径を１０ｍｍとした例がある。
【００３１】
また、ランナ１０の上部遠心面１６に対向するカバー３の内面側に空隙部３８を設けて置くと、ドレンパンの水位が前記した吸入可能の最低水位の状態に至った際に前記空隙部３８の存在がドレンの衝撃を和らげ、脈動音の発生を抑制する。この空隙部３８をドーム形天井に形成すると、前記ドレンの衝突を一層分散させることができる。
【００３２】
前記旋回羽根１２および小径羽根１３はブレード状の１枚乃至２枚のものよりも３枚の方がバランスがとれ、水撃による騒音や振動を緩和し、しかも流量も増加するが、その数が過多であると返って流量は減少する。
【００３３】
また、ポンプが停止し、吐出口８に連結した導管内の揚水が落下し、ランナ１０の外周面１５に当たり、ランナボス１７と挿入口２３との間隙からの溢流分は水切板２２によって阻止され、カバー３の上面からドレンパンに落下収容される。
【００３４】
ランナデスク１１は図３の（ｂ）に示すような上部遠心面１６が笠形のものに限るものではなく、図４に示したような平面の上部遠心面１６′、もしくは図５に示したようなランナボス側に勾配をつけた皿形の上部遠心面１６″であってもよい。図４および図５はそれぞれランナ１０の縦断説明図である。
【００３５】
なお、図３の（ｂ）、図４および図５に示すランナ１０の一部断面を表した縦断説明図における厚くほぼ円盤状のランナデスク１１は、上記上部遠心面１６、１６′、１６″と外周面１５、アーム部１４を残す以外は肉抜きをして軽量化を計っているが、ポンプの運転中は回転した液体が内部に充満旋回して勢車の働きをして円滑に回転する。
【００３６】
なお、アーム部１４の間に、流通口１８の端縁から外周面１５を有するリング状壁の部分とを放射状に結ぶ羽根状ブレードを設けて、補強も兼ねた回転羽根とすることも可能である。
【００３７】
図６は、本発明の排水ポンプにおけるランナ１０の他の実施の形態における斜視説明図である。
【００３８】
前記アーム部１４はその上面を加圧側にかつその下面を負圧側とするような傾斜面をそれぞれ備えた推進機器状に形成して、軸流ポンプの作用効果を添加して高めたものである。
【００３９】
前記図３の（ａ）、図３の（ｂ）、図３の（ｃ）、図４、図５および図６の何れも同一符号数字のものは同じ名称である。
【００４０】
図７は、本発明の排水ポンプのランナ１０のさらに他の実施の形態における斜視説明図であり、
図８の（ａ）は図７のものの平面図、図８の（ｂ）はその一部断面を示す縦断説明図、図８の（ｃ）は図８の（ｂ）の底面図である。
【００４１】
図において、ランナデスク１１はその下面側に前記旋回羽根１２ごとに少なくともこれと同数のその軸心側の基部から放射状にその外周方向に逆割溝状で前記上部遠心面１６と外周面１５との縁線３１以内に開口連通し、圧力面側となる傾斜面３６を設けた開口部３０を備えて斜流ポンプの流路を加えている遠心形の排水ポンプを構成している。
【００４２】
各図における符号の数字は、前記図３〜図６における名称と同様である。
【００４３】
図９は、本発明の排水ポンプのランナ１０のまたさらに他の実施の形態における一部断面を示す縦断説明図である。図において、ランナデスク１１はその下面に旋回羽根１２側から外周面１５方向の上方に勾配を付けた下面遠心テーパー部３７を形成して、これによりその遠心ポンプの流路を前記上部遠心面１６の遠心ポンプの流路に加えてポンプの吐出能力を高めたものであって、ランナデスク１１の外周にも上下の遠心面１６、３７の何れにも露出した旋回羽根を備えないので、騒音の低下を計ることができる。
【００４４】
図における符号の数字は前記各図における名称と同様である。
【００４５】
図１０、図１１は、前述の説明通り前記従来技術（ニ）特開平８−２１０２８９号公報開示の図２２および図４０の回転羽根のそれぞれ実施例に示された斜視図であり、その構成と作用については前述の通りである（本願明細書の発明が解決しようとする課題の欄の末尾の記載参照）。
【００４６】
前記各実施の形態に説明した各排水ポンプの吐出作用やその際に液体と大気との間に形成される自由表面などについては、前記した従来技術の特許関係の公報その他に開示されているからその説明は省略する。
【００４７】
つぎに、本発明の排水ポンプおよび前記従来技術の実施の形態２件について、主として所定揚程時の排水量および汲終直後の騒音についての測定データを表１に示す。
【００４８】
いま、本発明の図１および図２に示すもののランナ１０のそれぞれ異なる次に示す排水ポンプ、すなわち、
Ａ：図４に示した実施の形態（ランナデスク１１の上部遠心面１６′が平板で、さらにアーム部１４の間に流通口１８の端縁から外周面１５を有するリング状壁の部分とを放射状に結ぶ羽根状ブレードを設けて、補強も兼ねた回転羽根としたもの）のランナを備えた本発明の一実施の形態の排水ポンプ。
【００４９】
Ｂ：図６に示したランナを備えた本発明の他の実施の形態の排水ポンプ。
【００５０】
Ｃ：図７、図８に示したランナを備えた本発明のさらに他の実施の形態の排水ポンプ。
【００５１】
Ｄ：図９に示すランナを備えた本発明のさらに他の実施の形態の排水ポンプ。
【００５２】
Ｅ：図１０に示すランナを備えた従来技術による実施例の排水ポンプ。
【００５３】
Ｆ：図１１に示すランナを備えた従来技術による他の実施例の排水ポンプ
として、主として排水量ｍＬ／ｍｉｎ、騒音ｄＢ、Ａスケールを比較測定したデータを表１に示す。
【００５４】
なお、ランナ１０の外径は何れも４０ｍｍ、電源はＡＣ２００Ｖ、周波数は
５０及び６０Ｈｚ、モータの消費電力は何れも１１〜１２Ｗ／５０Ｈｚ、１０〜１１Ｗ／６０Ｈｚ、ポンプの流入口５の開口端部６のドレン水没深さのｈ＝１０ｍｍ、外気温３０℃、液体は水道水を代用した。吐出揚程は、何れも１１００ｍｍのときの吐出流量（排水量）を示す。
【００５５】
騒音の測定は無響室ではなく、実態に即して、敢えて住居地域のＲＣ構造建物５階において夜間に測定したが、暗騒音３６ｄＢ  Ａスケールで、ポンプの水平方向１００ｍｍの至近距離において測定したものである。これは、騒音が低下していて、従来におけるような測定距離では、容易に聴覚でも耳障りな音のきわめて判別出来がたいものがあるからである。
【００５６】
なお、測定対象とする騒音を止め、暗騒音のみとしたきに測定値が１０ｄＢ以上低下すれば、測定対象としている騒音のレベルは暗騒音の影響を受けていないと見做されるので、この測定値は補正する必要はない。
【００５７】
しかして、これらの排水ポンプの運転中の騒音は、ドレンパンの液体を吸い上げ吐出して、すなわち汲み終わって再びドレンが溜まって汲み上げるまで、ポンプを運転続行し、ランナ１０の回転をし続ける、いわゆるホールド時に吐出接手８から先に接続された揚水配管中の揚水が、ポンプが回転しているので、その全部は落下せず一部が残留しており、回転している羽根により水を掻き廻すときに発生する騒音が最も高く感じられるので、このときの騒音を測定したもので、その立ち上げ揚水位は１５０ｍｍ程度であった。
【００５８】
なお、前記Ａ〜Ｆまで６種の排水ポンプのうちその代表的なＡ，Ｅ，Ｆの三種の排水ポンプの最大揚程水位ｍｍ、揚程１１００ｍｍ時のモータ回転数毎分ＲＰＭ、モータ温度上昇値Ｋを、電圧ＡＣ２００Ｖ、周波数５０Ｈｚ，６０Ｈｚの場合にそれぞれ示すと次の通りである。
【００５９】
Ａ；１５２０／１８７０ｍｍ，２６００／２８８０ＲＰＭ，５２．０Ｋ
Ｅ；１５７５／１９８０ｍｍ，２６３０／２９７０ＲＰＭ，５１．８Ｋ
Ｆ；１４００／１７８０ｍｍ，２６５０／３０１０ＲＰＭ，４６．０Ｋ
このうち、上記Ｇの排水ポンプの場合に、排水の水位が配管内の上昇時約３００〜４００ｍｍの間で異常な振動騒音の発生を確認した。これは重大な騒音発生の欠陥と見做されることも考えられる。また、この騒音発生の要因の一つとして、排水位の上昇中にそのヘッドおよび排水中に混入する気泡の存在でランナに加わる水圧の変化によりランナおよびこれに直結するモータの回転子と駆動軸の軸方向の遊びがあるので、わずかに上下移動して振動することによることも一応考慮することができる。またさらに、前記排水用の配管の一方が排水ポンプの吐出接手に接続され、他方の吐出側が開放されている閉管であるので、配管中の水位の上昇時に、いわゆる空気柱の共鳴を生じたり、またはランナの流路の構成によりそれぞれの流体の流れによって、ポンプ内部に反響を生じ、音波の干渉を受けることも一応考えられる。但し、この現象はＦのみに限りかつ必ず再現したが、Ｆ以外の他の排水ポンプの場合には、何れもこれの発生することは皆無であった。
【００６０】
【表１】
0003576081.tif 000002
【００６１】
以上表１に示したように、本発明の実施の形態において、回転羽根が上部遠心面で覆われかつその外周面にリング状壁を設けて、露出していないランナをもつ前記Ａのものが排水ポンプの回転中に回転羽根の間で気泡を分離して排出して、そのために分断される水脈が回転羽根を打撃することがなく、したがって騒音が最も低い、かつ比較的排水量すなわちポンプの吐出量が少ないが、必要とする排水量は充分満足させるものである。
【００６２】
本発明の他の実施の形態上記Ｂ，Ｃ，Ｄは、それぞれ排水量と共に吐出揚程も増加させるために、軸流ポンプの作用効果を高めさせたり、補助羽根をランナの上部遠心面に備えたり、或いは斜流ポンプの流露を加えたり、或いはさらにランナに下面遠心テーパー部を設けて、これにより遠心流路をさらに増加させる手段を講じ、相応の効果を得ることを可能にしたが、流量の増加と共に若干の騒音も増加したものである。
【００６３】
しかし、それでも前記従来技術の実施例Ｅ，Ｆの排水ポンプよりもはるかに騒音の低下を顕著に可能としたものである。
【００６４】
上記何れの実施の形態の排水ポンプにおいても、ランナ１０のランナデスク１１には流通口１８を備えて、小径羽根１３および旋回羽根２の回転による軸流分の液体を上部遠心面１６へ導くと共に、カバー３の挿入口２３とこれに挿入されているランナボス１７との隙間から空気の流通を許しているので、気泡を排除して液体中にこれの混入を阻止し、したがって気泡混入による騒音を防止している。
【００６５】
【発明の効果】
本発明は、上記のような構成により、騒音を従来技術のものに比較してはるかに低下させ、しかも構造も簡単に堅牢なものにすることを可能として、特に空調機器のドレン排水ポンプを提供することができるものである。
【図面の簡単な説明】
【図１】本発明の排水ポンプ１の全体構成を示す一部断面を表した縦断説明図である。
【図２】図１の側面図である。
【図３】（ａ）はランナの一例を示す平面図、（ｂ）はその縦断面図、（ｃ）はその底面図である。
【図４】平面の上部遠心面を有するランナの縦断説明図である。
【図５】皿形の上部遠心面を有するランナの縦断説明図である。
【図６】本発明の排水ポンプにおけるランナの他の実施の形態における斜視説明図である。
【図７】本発明の排水ポンプのランナのさらに他の実施の形態における斜視説明図である。
【図８】（ａ）は図７のランナの平面図、（ｂ）はその一部断面を示す縦断説明図、（ｃ）は（ｂ）のランナの底面図である。
【図９】本発明の排水ポンプのランナの別の実施の形態における一部断面を示す縦断説明図である。
【図１０】従来技術（ニ）特開平８−２１０２８９号公報開示の図２２の回転羽根の実施例に示された斜視図である。
【図１１】従来技術（ニ）特開平８−２１０２８９号公報開示の図４０の回転羽根の実施例に示された斜視図である。
【符号の説明】
１            ドレン排水ポンプ
２            ハウジング
３            カバー
４            筒部
５            流入口
６            開口端部
７            吐出接手
８            吐出口
１０            ランナ
１１            ランナデスク
１２            旋回羽根
１３            小径羽根
１４            アーム部
１５            外周面
１６            上部遠心面
１７            ランナボス
１８            流通口
２０            モータ
２１            駆動軸
２２            水切板
２３            挿入口
２４            組付部
２５            繋止鉤
３０            開口部
３１            縁線
３４            下面
３５            流通溝
３６            傾斜面
３７            下面遠心テーパー部
３８            空隙部
【図１】
0003576081.tif 000003
【図２】
0003576081.tif 000004
【図３】
0003576081.tif 000005
【図４】
0003576081.tif 000006
【図５】
0003576081.tif 000007
【図６】
0003576081.tif 000008
【図７】
0003576081.tif 000009
【図８】
0003576081.tif 000010
【図９】
0003576081.tif 000011
【図１０】
0003576081.tif 000012
【図１１】
0003576081.tif 000013